(57)【要約】【課題】収穫時に人に適した環境を整えることが可能な農業用ハウスを提供する。【解決手段】ハウス本体１０と、水供給装置２とを備える。ハウス本体１０に通気口および採光部が形成される。通気口を開閉する開閉扉３とを備える。水供給装置２、開閉扉３を制御する制御装置６を備える。ハウス本体１０内の気温を検知する内気温検知部７１およびハウス本体１０外の気温を検知する外気温検知部７２を備える。栽培モードは、気温情報に基いて、水供給装置２による水の供給を連続的または間欠的に実行するとともに開閉扉３を自動的に制御する。収穫モードは、気温情報に基いて、水供給装置２による水の供給を停止するとともに開閉扉３を自動的に制御する。【選択図】図１
2018014942.tif 000002
【特許請求の範囲】
【請求項１】
壁および屋根を有するハウス本体と、前記ハウス本体内に水を供給する水供給装置と、を備え、
前記ハウス本体に通気口および採光部が形成され、
前記通気口を開閉する開閉扉を備え、
前記水供給装置、前記開閉扉を制御する制御装置を備え、
前記ハウス本体内の気温を検知する内気温検知部および前記ハウス本体外の気温を検知する外気温検知部を備え、
前記制御装置は、前記内気温検知部および前記外気温検知部により検知された前記気温情報に基いて、前記水供給装置による水の供給を連続的または間欠的に実行するとともに、栽培適正温度となるように前記開閉扉を自動的に制御する栽培モードと、前記水供給装置による水の供給を停止するとともに、収穫適正温度となるように前記開閉扉を自動的に制御する収穫モードと、をそれぞれ実行可能であることを特徴とする農業用ハウス。
【請求項２】
換気を促進させる換気装置をさらに備え、
前記制御装置は、前記栽培モードおよび前記収穫モードにおいて、前記内気温検知部および前記外気温検知部により検知された前記気温情報に基いて、さらに前記換気装置を自動的に制御することを特徴とする請求項１記載の農業用ハウス。
【請求項３】
前記採光部を通しての採光量を調節する採光量調節装置をさらに備え、
前記制御装置は、前記栽培モードおよび前記収穫モードにおいて、前記内気温検知部および前記外気温検知部により検知された前記気温情報に基いて、さらに前記採光量調節装置を自動的に制御することを特徴とする請求項１または２記載の農業用ハウス。
【請求項４】
前記ハウス本体外の照度を検知する照度検知部をさらに備え、
前記制御装置は、前記栽培モードおよび前記収穫モードにおいて、前記内気温検知部および前記外気温検知部により検知された前記気温情報に加えて前記照度検知部により検知された照度情報に基いて、制御を行うことを特徴とする請求項１〜３のいずれか一項に記載の農業用ハウス。
【請求項５】
前記採光量調節装置が、遮光・断熱カーテンを備えることを特徴とする請求項１〜４のいずれか一項に記載の農業用ハウス。
【発明の詳細な説明】
【技術分野】
【０００１】
本発明は、農業用ハウスに関するものである。
【背景技術】
【０００２】
従来、農業用ハウスが知られている（例えば特許文献１参照）。農業用ハウスは、ハウス本体内で育成する植物に適した環境を保つ栽培モードが実行可能である。栽培モードは、内気温検知部および外気温検知部により検知された気温情報に基いて、水供給装置による水の供給を連続的または間欠的に実行するとともに、ハウス本体内の気温が育成する植物に適した温度となるように自動的に制御するものである。
【先行技術文献】
【特許文献】
【０００３】
【特許文献１】特開２０１４−５７５７０号公報
【発明の概要】
【発明が解決しようとする課題】
【０００４】
ところで、このような農業用ハウスにあっては、栽培モード中に収穫しようとすると、収穫時に水の供給が行われて、収穫する人が濡れたりするおそれがある。また、ハウス本体内の気温も人に適した温度とならず、収穫時に人に適した環境となっていないものであった。
【０００５】
本発明は上記従来の問題点に鑑みて発明したものであって、その目的とするところは、収穫時に人に適した環境を整えることができる農業用ハウスを提供することにある。
【課題を解決するための手段】
【０００６】
上記課題を解決するために、本発明に係る農業用ハウスは、以下の通りである。
【０００７】
農業用ハウスは、壁および屋根を有するハウス本体と、前記ハウス本体内に水を供給する水供給装置と、を備える。前記ハウス本体に通気口および採光部が形成される。前記農業用ハウスは、前記通気口を開閉する開閉扉と、前記水供給装置および前記開閉扉を制御する制御装置と、を備える。前記農業用ハウスは、前記ハウス本体内の気温を検知する内気温検知部および前記ハウス本体外の気温を検知する外気温検知部を備える。前記制御装置は、栽培モードと収穫モードとをそれぞれ実行可能である。前記栽培モードは、前記内気温検知部および前記外気温検知部により検知された気温情報に基いて、前記水供給装置による水の供給を連続的または間欠的に実行するとともに栽培適正温度となるように前記開閉扉を自動的に制御するモードである。前記収穫モードは、前記水供給装置による水の供給を停止するとともに、前記内気温検知部および前記外気温検知部により検知された気温情報に基いて、収穫適正温度となるように前記開閉扉を自動的に制御するモードである。
【発明の効果】
【０００８】
本発明にあっては、収穫時に人に適した環境を整えることが可能となる。
【図面の簡単な説明】
【０００９】
【図１】図１は、本発明の第一実施形態に係る農業用ハウスの斜め上方より見た一部透過した斜視図である。
【図２】図２は、同上の農業用ハウスに用いる水供給装置を示す構成図である。
【図３】図３は、同上の農業用ハウスに用いる制御系統を示すブロック図である。
【図４】図４は、本発明の第二実施形態に係る農業用ハウスの斜め上方より見た一部透過した斜視図である。
【発明を実施するための形態】
【００１０】
以下、農業用ハウスの第一実施形態について、図１〜図３に基いて説明する。
【００１１】
農業用ハウス１は、植物の育成に適した環境を整えることを目的としたハウス本体１０を備える。ハウス本体１０は、壁１１および屋根１２を有するものである。第一実施形態では、図１に示すように、ハウス本体１０は、構造材としての金属製パイプを組み合わせて構成されたフレーム１０１と、フレーム１０１により支持された被覆材１０２と、を備える。被覆材１０２として、透光性を有する合成樹脂フィルムが用いられている。すなわち、ハウス本体１０はいわゆるビニールハウスにより構成されている。
【００１２】
ハウス本体１０は、断面逆Ｕ字状に形成され、断面半円状の屋根１２と、壁１１を備える。ハウス本体１０は、壁１１として、屋根１２を支持する互いに対向する一対の側壁１１１と、側壁１１１に直交し互いに対向する一対の妻壁１１２と、を一体に備える。
【００１３】
ハウス本体１０内には、作土部８が設けられる。この作土部８に植物の種子が播かれたり苗が植えられたりした後、植物が育成される。育成される植物は、ホウレンソウ、コマツナ、ミズナのような軟弱野菜が想定されている。これらの軟弱野菜は、一般に気温および地温が比較的低い秋季から春季にかけて栽培（育成）されるが、農業用ハウス１では、これらの軟弱野菜をより高温である時季においても栽培可能にすることを目的としている。
【００１４】
ハウス本体１０内で育成される植物に水を供給するために、図２に示すように、ハウス本体１０内に水を供給する水供給装置２が設けられる。第一実施形態では、水供給装置２は、給水設備２０と、水を供給する形態が異なる撒水装置２１とミスト装置２２とを備える。
【００１５】
撒水装置２１は、図１、図２に示すように、撒水チューブ２１０を備える。撒水チューブ２１０は、通水されるチューブの管壁に多数個の微細な撒水孔が形成され、チューブに通水されると撒水孔を通して水がシャワー状または噴水状に噴出するように構成されている。  撒水チューブ２１０から噴出した水は、作土部８（植物を含む）に即時に落下する。撒水チューブ２１０は、ハウス本体１０に形成される作土部８の大きさや形状に応じて配置が定められる。
【００１６】
ミスト装置２２は、図１、図２に示すように、ミストチューブ２２０を備える。ミストチューブ２２０は、通水されるチューブの管壁に取り付けられた多数個のノズルを備え、チューブに通水されるとノズルから水が噴霧されるように構成されている。撒水チューブ２１０から噴出した水が作土部８（植物を含む）に即時に落下するのに対して、ミストチューブ２２０から噴出した水は、比較的長時間をかけて作土部８に落下する。ミストチューブ２２０のノズルの形状によっては、噴霧した水粒子を微細化して空気中に滞留させることも可能である。
【００１７】
撒水チューブ２１０およびミストチューブ２２０は、ハウス本体１０の定位置に固定される。したがって、撒水チューブ２１０およびミストチューブ２２０に給水する圧力を定められた圧力に調節することによって、撒水チューブ２１０およびミストチューブ２２０から噴出される水を所望の箇所に撒くことが可能になる。つまり、水供給装置２から水を噴出させることにより、植物および作土部８への灌水が行われる。
【００１８】
撒水チューブ２１０およびミストチューブ２２０は、図２に示すように、給水流路２３に接続される。さらに詳しくは、給水流路２３は途中で二本の分岐流路２３１、２３２に分岐しており、一方の分岐流路２３１の下流端に撒水チューブ２１０が接続され、他方の分岐流路２３２の下流端にミストチューブ２２０が接続されている。給水流路２３は、上流端が貯水タンク２４に接続され、その下流側に送水ポンプ２５が設けられている。貯水タンク２４に溜められる水は、市水、井戸水、雨水などから選択される。貯水タンク２４に溜められた水は、送水ポンプ２５を通して撒水装置２１とミスト装置２２とに供給される。
【００１９】
水供給装置２は、図２に示すように、撒水装置２１からの水の噴出のタイミングを制御するため、撒水チューブ２１０への分岐流路２３１に電磁弁からなる開閉弁２６１を備えている。また、水供給装置２は、ミスト装置２２からの水の噴出のタイミングを制御するため、ミストチューブ２２０への分岐流路２３２に電磁弁からなる開閉弁２６２を備えている。撒水チューブ２１０への分岐流路２３１に開閉弁２６１が設けられ、ミストチューブ２２０への分岐流路２３２に開閉弁２６２が設けられることにより、撒水装置２１とミスト装置２２とが互いに独立して水を供給することが可能となる。
【００２０】
貯水タンク２４、給水流路２３、送水ポンプ２５、分岐流路２３１、２３２、開閉弁２６１、２６２により、撒水装置２１およびミスト装置２２に水を供給する給水設備２０が構成される。
【００２１】
図１に示すように、ハウス本体１０には、通気口が形成される。第一実施形態では、通気口として、両方の側壁１１１にそれぞれ側通気口が形成され、両方の妻壁１１２にそれぞれ端通気口が形成されている。
【００２２】
ハウス本体１０には、通気口を開閉する開閉扉３が設けられる。開閉扉３は、モータ等の駆動装置により、人手を介さずに駆動可能である。第一実施形態では、開閉扉３は、カーテン状をしたものであり、駆動装置により巻き取り軸が回転することにより、カーテン状をした開閉扉３が繰り出されたり巻き取られたりして移動する。開閉扉３により、通気口を全開としたり全閉としたり、あるいは全開と全閉の間の任意の開度で通気口を開くことが可能である。
【００２３】
ハウス本体１０には、通気口を通して換気を促進させる換気装置４が設けられる。第一実施形態では、換気装置４は、ファンおよびファンを駆動するモータ等の駆動装置により構成される。換気装置４は、ハウス本体１０内の換気を行うもので、第一実施形態では、両方の妻壁１１２の端通気口に対応する位置にそれぞれ設けられる。換気装置４を駆動させることにより、端通気口を通してハウス本体１０内の空気を外部に排出させ、他の通気口（側通気口）を通して外気をハウス本体１０内に取り込ませて、換気を促進させる。また、換気装置４は、ファンの回転速度を調節することで、風量を変化させることが可能である。
【００２４】
ハウス本体１０には、透光性を有する採光部が形成される。第一実施形態では、ハウス本体１０の全体（ただしフレーム１０１等の透光性を有しない部分を除く）が透光性を有するため、ハウス本体１０の全体が採光部として機能する。
【００２５】
ハウス本体１０は、採光部を通しての採光量を調節する採光量調節装置５を備える。第一実施形態では、採光量調節装置５は、カーテン５１およびカーテン５１を駆動するモータ等の駆動装置により構成され、人手を介さずに駆動可能である。駆動装置により巻き取り軸が回転することにより、巻き取り軸からカーテン５１が繰り出されたり巻き取られたりして移動する。
【００２６】
カーテン５１として、天井（屋根１２）の全面に沿う天井カーテン５１１と、側壁１１１の全面に沿う側カーテン５１２と、が設けられる。採光量調節装置５がカーテン５１を駆動することにより、採光部を全開としたりカーテン５１により全閉としたり、あるいは全開と全閉の間の任意の開度で開いて残りをカーテン５１により閉じることが可能となる。
【００２７】
農業用ハウス１は、ハウス本体１０内の気温を検知する内気温検知部７１を備える。第一実施形態では、内気温検知部７１は、ハウス本体１０内の地面上に立てられた棒の上端部に設けられ、検知した気温情報は後述する制御装置６に読み込まれる。
【００２８】
また農業用ハウス１はハウス本体１０外の気温を検知する外気温検知部７２を備える。第一実施形態では、外気温検知部７２は、ハウス本体１０外の地面上に立てられた棒の上端部あるいはハウス本体１０の外面に設けられ、検知した気温情報は後述する制御装置６に読み込まれる。
【００２９】
内気温検知部７１および外気温検知部７２としては、たとえば熱電対またはサーミスタが好適に用いられるが、特に限定されない。
【００３０】
図３に示すように、農業用ハウス１は、水供給装置２、開閉扉３の駆動装置、換気装置４および採光量調節装置５を制御する制御装置６を備える。制御装置６は、たとえば、プログラムに従って動作するいわゆるマイクロコンピュータを備え、内気温検知部７１および外気温検知部７２からの気温情報を読み込み、水供給装置２、開閉扉３の駆動装置、換気装置４および採光量調節装置５へ指示を与える。このような制御装置６は、汎用のコンピュータでもよいし、専用の装置として構成されてもよい。
【００３１】
なお、制御装置６による水供給装置２の制御とは、第一実施形態では、給水設備２０の送水ポンプ２５の駆動と停止の切り替えと駆動時の送水量の制御、電磁弁からなる開閉弁２６１、２６２の開と閉の切り替えの制御をいうものとする。
【００３２】
制御装置６は、第一実施形態では、図３に示すように、上述した各装置に接続されるインターフェイス部（Ｉ／Ｆ部６１という）と、後述する各種データを記憶する記憶部６２と、日時を計時する内蔵時計６３と、を備える。さらに制御装置６は、Ｉ／Ｆ部６１を通して内気温検知部７１および外気温検知部７２から取得した気温情報と、記憶部６２に格納した各種データとを用いて上述した各装置を制御する演算処理部６４を備える。
【００３３】
制御装置６は、内気温検知部７１および外気温検知部７２により検知された気温情報に基いて、水供給装置２、開閉扉３の駆動装置、換気装置４および採光量調節装置５を自動的に制御する、栽培モードと収穫モードとを択一的に実行可能である。
【００３４】
栽培モードは、ハウス本体１０内を栽培適正温度とし、水供給装置２による水の供給を連続的または間欠的に実行するものである。
【００３５】
栽培モードとしては、たとえば、制御装置６が、外気温検知部７２の当日の最低気温（通常は日の出時）を用いて動作内容を変更する。すなわち、外気温の最低温度は季節により異なるため、制御装置は、外気温の最低温度により季節を判断することができる。一例として、外気温の最低温度が１８℃以上であれば夏季と判断し、外気温の最低温度が１０℃以下であれば冬季と判断する等、制御装置６は季節を判断する。また、制御装置６は、内蔵時計６３が計時している日時を併用して季節を判断することが好ましい。
【００３６】
栽培モードにおける制御の内容としては、たとえは、水供給装置２による水の供給と停止の切り替えと供給時の水量、開閉扉３の開と閉の切り替えまたは開度、換気装置４の駆動と停止の切り替えと駆動時の換気量、採光量調節装置５による採光と遮光の切り替えまたは遮光率、が挙げられる。これらを制御装置６が具体的にどのように制御するかは、育成する植物の種類、時季、あるいはその他の諸条件により様々なパターンが考えられ、特に限定されない。
【００３７】
収穫モードは、水供給装置２による水の供給を停止するものである。収穫モードは、ハウス本体１０内を収穫適正温度とし、人（作業者）が収穫しやすい環境を整えることを目的としたモードである。すなわち、栽培モードにおいては、植物の育成に適した環境を整えることを目的とし、人の収穫のしやすさは考慮されていない。これに対して、収穫モードは、植物の育成に適した環境を整えるのではなく、人の収穫に適した環境を整えることを目的としたものとなっている。以下、第１収穫モードについて説明する。
【００３８】
＜第１収穫モード＞
第１収穫モードでは、内気温検知部７１により検知された内気温と、外気温検知部７２により検知された外気温と、予め定められている快適温度（収穫適正温度）と、比較して、比較結果に応じて制御装置６による制御が行われる。水供給装置２による水の供給は必ず停止させる。表１に、内気温、外気温、快適温度の比較と、各装置の制御の一覧表を示す。
【００３９】
【表１】
2018014942.tif 000003
【００４０】
（表１中のＮｏ．１１の場合）
快適温度＞内気温であるため、内気温を上昇させる。このため、採光量調節装置５によりカーテン５１を全開にして採光を行う。また、開閉扉３により通気口を閉とし、換気装置４を停止させる。
【００４１】
（表１中のＮｏ．１２の場合）
快適温度＞内気温であるため、内気温を上昇させる。このため、採光量調節装置５によりカーテン５１を全開にして採光を行う。また、開閉扉３により通気口を閉とし、換気装置４を停止させる。
【００４２】
（表１中のＮｏ．１３の場合）
快適温度＞内気温であるため、内気温を上昇させる。このため、採光量調節装置５によりカーテン５１を全開にして採光を行う。また、開閉扉３により通気口を開（全開）とし、換気装置４を停止させる。
【００４３】
（表１中のＮｏ．１４の場合）
内気温＞快適温度であるため、内気温を下降させる。このため、採光量調節装置５によりカーテン５１を全閉にして遮光を行う。また、開閉扉３により通気口を開（全開）とし、換気装置４を駆動させる。
【００４４】
（表１中のＮｏ．１５の場合）
内気温＞快適温度であるため、内気温を下降させる。このため、採光量調節装置５によりカーテン５１を全閉にして遮光を行う。また、開閉扉３により通気口を開（全開）とし、換気装置４を駆動させる。
【００４５】
（表１中のＮｏ．１６の場合）
内気温＞快適温度であるため、内気温を下降させる。このため、採光量調節装置５によりカーテン５１を全閉にして遮光を行う。また、開閉扉３により通気口を開（全開）とし、換気装置４を駆動させる。
【００４６】
上述したように、第１収穫モードにあっては、水供給装置２による水の供給は必ず停止させている。このため、収穫している時に水の供給が行われて、人が濡れたりすることがなく、収穫時に人に適した環境となる。
【００４７】
次に、第二実施形態の農業用ハウス１について図４に基いて説明する。なお、第二実施形態の農業用ハウス１は、大部分において第一実施形態の農業用ハウス１と同じであるため、同じ構成については同符号を用いて説明を省略し、主に異なる構成について説明する。
【００４８】
第二実施形態の農業用ハウス１は、第一実施形態の農業用ハウス１に加えて、ハウス本体１０外の照度を検知する照度検知部７３を備えている。制御装置６は、第２収穫モードにおいて、内気温検知部７１および外気温検知部７２により検知された気温情報と、照度検知部７３により検知された照度情報とに基いて、水供給装置２による水の供給を停止するとともに開閉扉３の駆動装置、換気装置４および採光量調節装置５を自動的に制御するものである。
【００４９】
また、採光量調節装置５が、第一実施形態の農業用ハウス１におけるカーテン５１にかえて、遮光機能のみならず熱伝導を抑制する断熱（遮熱）機能を有する遮光・断熱カーテン５２を備えるものである。遮光・断熱カーテン５２の大きさ、遮光・断熱カーテン５２が設けられる位置および駆動装置は第一実施形態のカーテン５１の場合と同様であり、カーテン自体が異なるものである。以下、第２収穫モードについて説明する。
【００５０】
＜第２収穫モード＞
第２収穫モードでは、内気温検知部７１により検知された内気温と、外気温検知部７２により検知された外気温と、予め定められている快適温度（収穫適正温度）を比較するとともに、照度検知部７３により検知された照度情報に基いて、制御装置６による制御が行われる。水供給装置２による水の供給は停止させる。表２に、内気温、外気温、快適温度の比較と、照度と、各装置の制御の一覧表を示す。
【００５１】
【表２】
2018014942.tif 000004
【００５２】
（表２中のＮｏ．２１の場合）
快適温度＞内気温であるため、内気温を上昇させる。ここで、照度が予め定められている閾値よりも大きく日射が大きいため、採光量調節装置５により遮光・断熱カーテン５２を全開にして採光を行う。また、開閉扉３により通気口を閉とし、換気装置４を停止させる。
【００５３】
（表２中のＮｏ．２２の場合）
快適温度＞内気温であるため、内気温を上昇させる。ここで、照度が予め定められている閾値よりも小さく日射が小さいため、採光はほとんど行われない。また、遮光・断熱カーテン５２を開くと、伝導および放射により熱が失われるおそれがあるため、採光量調節装置５により遮光・断熱カーテン５２を全閉にして遮光を行う。また、開閉扉３により通気口を閉とし、換気装置４を停止させる。
【００５４】
（表２中のＮｏ．２３の場合）
快適温度＞内気温であるため、内気温を上昇させる。ここで、照度が予め定められている閾値よりも大きく日射が大きいため、採光量調節装置５により遮光・断熱カーテン５２を全開にして採光を行う。また、開閉扉３により通気口を閉とし、換気装置４を停止させる。
【００５５】
（表２中のＮｏ．２４の場合）
快適温度＞内気温であるため、内気温を上昇させる。ここで、照度が予め定められている閾値よりも小さく日射が小さいため、採光はほとんど行われない。また、遮光・断熱カーテン５２を開くと、伝導および放射により熱が失われるおそれがあるため、採光量調節装置５により遮光・断熱カーテン５２を全閉にして遮光を行う。また、開閉扉３により通気口を閉とし、換気装置４を停止させる。
【００５６】
（表２中のＮｏ．２５の場合）
快適温度＞内気温であるため、内気温を上昇させる。ここで、照度が予め定められている閾値よりも大きく日射が大きいため、採光量調節装置５により遮光・断熱カーテン５２を全開にして採光を行う。また、開閉扉３により通気口を開（全開）とし、換気装置４を停止させる。
【００５７】
（表２中のＮｏ．２６の場合）
快適温度＞内気温であるため、内気温を上昇させる。ここで、照度が予め定められている閾値よりも小さく日射が小さいため、採光はほとんど行われない。また、遮光・断熱カーテン５２を開くと、伝導および放射により熱が失われるおそれがあるため、採光量調節装置５により遮光・断熱カーテン５２を全閉にして遮光を行う。また、開閉扉３により通気口を開（全開）とし、換気装置４を停止させる。
【００５８】
（表２中のＮｏ．２７の場合）
内気温＞快適温度であるため、内気温を下降させる。ここで、照度が予め定められている閾値よりも大きく日射が大きいため、採光量調節装置５により遮光・断熱カーテン５２を全閉にして遮光を行う。また、開閉扉３により通気口を開（全開）とし、換気装置４を駆動させる。
【００５９】
（表２中のＮｏ．２８の場合）
内気温＞快適温度であるため、内気温を下降させる。ここで、照度が予め定められている閾値よりも小さく日射が小さいため、遮光・断熱カーテン５２を開いても採光はほとんど行われないとともに、伝導および放射により熱が失われる。このため、採光量調節装置５により遮光・断熱カーテン５２を全開にして放熱を行わせる。また、開閉扉３により通気口を開（全開）とし、換気装置４を駆動させる。
【００６０】
（表２中のＮｏ．２９の場合）
内気温＞快適温度であるため、内気温を下降させる。ここで、照度が予め定められている閾値よりも大きく日射が大きいため、採光量調節装置５により遮光・断熱カーテン５２を全閉にして遮光を行う。また、開閉扉３により通気口を開（全開）とし、換気装置４を駆動させる。
【００６１】
（表２中のＮｏ．３０の場合）
内気温＞快適温度であるため、内気温を下降させる。ここで、照度が予め定められている閾値よりも小さく日射が小さいため、遮光・断熱カーテン５２を開いても採光はほとんど行われないとともに、伝導および放射により熱が失われる。このため、採光量調節装置５により遮光・断熱カーテン５２を全開にして放熱を行わせる。また、開閉扉３により通気口を開（全開）とし、換気装置４を駆動させる。
【００６２】
（表２中のＮｏ．３１の場合）
内気温＞快適温度であるため、内気温を下降させる。ここで、照度が予め定められている閾値よりも大きく日射が大きいため、採光量調節装置５により遮光・断熱カーテン５２を全閉にして遮光を行う。また、開閉扉３により通気口を開（全開）とし、換気装置４を駆動させる。
【００６３】
（表２中のＮｏ．３２の場合）
内気温＞快適温度であるため、内気温を下降させる。ここで、照度が予め定められている閾値よりも小さく日射が小さいため、遮光・断熱カーテン５２を開いても採光はほとんど行われないとともに、伝導および放射により熱が失われる。このため、採光量調節装置５により遮光・断熱カーテン５２を全開にして放熱を行わせる。また、開閉扉３により通気口を開（全開）とし、換気装置４を駆動させる。
【００６４】
上述したように、第２収穫モードにあっても、水供給装置２による水の供給は必ず停止させている。このため、収穫している時に水の供給が行われて、人が濡れたりすることがなく、収穫時に人に適した環境となる。
【００６５】
さらに、第２収穫モードにおいて、照度検知部７３により検知された照度情報にも基いて制御が行われるため、より精度よく、ハウス本体１０内の温度を収穫適正温度に近づけることができる。
【００６６】
さらに、採光量調節装置５が遮光・断熱カーテン５２を備えるため、遮光・断熱カーテン５２による保温も可能となる。
【００６７】
以下、変形例について説明する。
【００６８】
第一実施形態および第二実施形態では、ハウス本体１０は断面逆Ｕ字状をしたものであるが、ハウス本体１０の形状は限定されない。屋根１２は、断面半円状をしたものであるが、水平で平坦であってもよく、屋根１２および壁１１の形状は特に限定されない。また、ハウス本体１０はいわゆるビニールハウスにより構成されているが、ビニールハウスに限定されない。たとえば、ハウス本体１０の壁１１または屋根１２の一部が透光性を有しないパネルにより構成されるとともに残りが透光性を有する合成樹脂フィルムで構成されてもよい。また、ハウス本体１０の全部（ただし通気口および採光部が設けられる部分を除く）がパネルにより構成されてもよい。また、ハウス本体１０は、内部空間を密閉可能とするのが好ましいが、密閉可能でなくてもよい。
【００６９】
第一実施形態および第二実施形態では、農業用ハウス１内で育成される植物は、ホウレンソウ、コマツナ、ミズナのような軟弱野菜であるが、これら以外の軟弱野菜であってもよいし、軟弱野菜以外の作物であってもよく、特に限定されない。また、農業用ハウス１内で植物が栽培される時季についても、特に限定されない。
【００７０】
なお、第一実施形態および第二実施形態では、給水設備２０が貯水タンク２４を備えているが、貯水タンク２４が設けられず、給水流路２３の上流端が水道に接続されてもよい。
【００７１】
第一実施形態および第二実施形態では、水供給装置２は、撒水装置２１とミスト装置２２の両方を備えるものであったが、いずれか一方のみを備えるものであってもよい。また、水供給装置２は、チューブを有する撒水装置２１またはミスト装置２２ではなく、たとえば、一般に広く用いられているスプリンクラーのように可動式の吐出口を有するものであってもよく、形態は特に限定されない。
【００７２】
第一実施形態および第二実施形態では、水供給装置２が供給するのは水であるが、肥料を含んだ水、あるいは水以外の液体を供給してもよい。
【００７３】
第一実施形態および第二実施形態では、側壁１１１と妻壁１１２の両方に通気口が設けられているが、いずれか一方のみに通気口が設けられてもよい。また、壁１１に加えて屋根１２に通気口が設けられてもよい。また、壁１１および屋根１２に設けられる通気口の形状、大きさ、個数、位置等は特に限定されない。
【００７４】
また、ハウス本体１０の壁１１には、適宜、人または物の出入口が開閉可能に設けられる。出入口の形状、大きさ、個数、位置等は特に限定されず、出入口が通気口と兼用されてもよい。
【００７５】
開閉扉３は、ハウス本体１０の被覆材１０２として用いられる合成樹脂フィルムと同じ材料により形成されてもよいし、他の材料により板状等に形成されてもよく、材料（材質）は限定されない。開閉扉３の形状、大きさ、透光性の有無等は特に限定されない。また、駆動装置は、開閉扉３に応じたものが設けられる。
【００７６】
第一実施形態および第二実施形態では、換気装置４は、端通気口に対応する位置に設けられていたが、通気口に対応しない位置、たとえばハウス本体１０の中心部等に設けられてもよい。また、換気装置４が側通気口に対応する位置に設けられてもよい。換気装置４が設けられる位置、個数等は特に限定されない。
【００７７】
また、換気装置４により発生する風向は特に限定されない。特に、換気装置４が通気口に対応する位置に設けられる場合、換気装置４により発生する風向が、ハウス本体１０内の空気を外部に排出させる向きであるか、あるいは外気をハウス本体１０内に取り込む向きであるかは特に限定されない。また、換気装置４が駆動するときに、必ずしも通気口が開かれていなくてもよい。
【００７８】
第一実施形態および第二実施形態では、ハウス本体１０の全体が採光部となっているが、ハウス本体１０の一部のみが採光部となってもよい。特に、日光はその大部分が屋根１２を通してハウス本体１０内に照射されるため、屋根１２の全部または一部に採光部が形成されるのが好ましい。採光部の形状、大きさ、個数、位置等は特に限定されない。また、採光部の一部または全部が通気口と兼用されてもよい。
【００７９】
第一実施形態では、採光量調節装置５はカーテン５１を備えるものであるが、カーテン５１の替わりにたとえば遮光板を備えるものであってもよく、カーテン５１以外のものを備えるものでもよい。
【００８０】
第一実施形態および第二実施形態では、カーテン５１、遮光・断熱カーテン５２の光透過率は１００％未満であればよく、特に限定されない。カーテン５１、遮光・断熱カーテン５２の形状、大きさ、材質等は特に限定されない。
【００８１】
第一実施形態および第二実施形態では、天井カーテン５１１、遮光・断熱カーテン５２１が屋根１２の全面に沿うとともに、側カーテン５１２、遮光・断熱カーテン５２２が側壁１１１の全面に沿うが、天井カーテン５１１、遮光・断熱カーテン５２１が屋根１２の一部に沿うものであってもよいし、側カーテン５１２、遮光・断熱カーテン５２２が側壁１１１の一部に沿うものであってもよい。また、側カーテン５１２、遮光・断熱カーテン５２２に替えてあるいは側カーテン５１２、遮光・断熱カーテン５２２に加えて、妻壁１１２の全面または一部に沿う妻カーテンが設けられてもよい。カーテン５１が設けられる位置、個数等は特に限定されない。
【００８２】
第一実施形態および第二実施形態において、快適温度を調節可能としてもよい。
【００８３】
第二実施形態において、照度の閾値を調節可能としてもよい。
【００８４】
以上、上述した第一実施形態〜第二実施形態およびその変形例から明らかなように、本発明に係る第１の態様の農業用ハウス１は、壁１１および屋根１２を有するハウス本体１０と、ハウス本体１０内に水を供給する水供給装置２と、を備える。ハウス本体１０に通気口および採光部が形成される。農業用ハウス１は、通気口を開閉する開閉扉３と、水供給装置２および開閉扉３を制御する制御装置６と、を備える。農業用ハウス１は、ハウス本体１０内の気温を検知する内気温検知部７１およびハウス本体１０外の気温を検知する外気温検知部７２を備える。制御装置６は、栽培モードと収穫モードとをそれぞれ実行可能である。栽培モードは、内気温検知部７１および外気温検知部７２により検知された気温情報に基いて、水供給装置２による水の供給を連続的または間欠的に実行するとともに、栽培適正温度となるように開閉扉３を自動的に制御するモードである。収穫モードは、内気温検知部７１および外気温検知部７２により検知された気温情報に基いて、収穫適正温度となるように水供給装置２による水の供給を停止するとともに開閉扉３を自動的に制御するモードである。
【００８５】
第１の態様の農業用ハウス１によれば、収穫モードにあっては水供給装置２による水の供給が停止されるため、収穫している時に水の供給が行われて、人が濡れたりすることがなく、収穫時に人に適した環境となる。
【００８６】
本発明に係る第２の態様の農業用ハウス１は付加的なものであり、第１の態様の農業用ハウス１との組み合わせにより実現される。第２の態様の農業用ハウス１は、換気を促進させる換気装置４をさらに備える。制御装置６は、栽培モードおよび収穫モードにおいて、内気温検知部７１および外気温検知部７２により検知された気温情報に基いて、さらに換気装置４を自動的に制御するものである。
【００８７】
第２の態様の農業用ハウス１によれば、ハウス本体１０内の換気を促進させて、ハウス本体１０内の温度の調節を迅速に行うことができる。
【００８８】
本発明に係る第３の態様の農業用ハウス１は付加的なものであり、第１または第２の態様の農業用ハウス１との組み合わせにより実現される。第３の態様の農業用ハウス１は、採光部を通しての採光量を調節する採光量調節装置５をさらに備える。制御装置６は、栽培モードおよび収穫モードにおいて、内気温検知部７１および外気温検知部７２により検知された気温情報に基いて、さらに採光量調節装置５を自動的に制御するものである。
【００８９】
第３の態様の農業用ハウス１によれば、採光量の調節により、ハウス本体１０内の温度の調節を迅速に行うことができる。
【００９０】
本発明に係る第４の態様の農業用ハウス１は付加的なものであり、第１〜第３のいずれか一つの態様の農業用ハウス１との組み合わせにより実現される。第４の態様の農業用ハウス１は、ハウス本体１０外の照度を検知する照度検知部７３をさらに備える。制御装置６は、栽培モードおよび収穫モードにおいて、内気温検知部７１および外気温検知部７２により検知された気温情報に加えて照度検知部７３により検知された照度情報に基いて、制御を行うものである。
【００９１】
第４の態様の農業用ハウス１によれば、より精度よく、ハウス本体１０内の温度を収穫適正温度に近づけることができる。
【００９２】
本発明に係る第５の態様の農業用ハウス１は付加的なものであり、第１〜第４の態様の農業用ハウス１との組み合わせにより実現される。第５の態様の農業用ハウス１は、採光量調節装置５が遮光・断熱カーテン５２を備えるものである。
【００９３】
第５の態様の農業用ハウス１によれば、遮光・断熱カーテン５２により保温も可能となる。
【符号の説明】
【００９４】
１    農業用ハウス
１０  ハウス本体
１１  壁
１２  屋根     
２    水供給装置
３    開閉扉
４    換気装置
５    採光量調節装置
５３  遮光・断熱カーテン
６    制御装置
７１  内気温検知部
７２  外気温検知部
７３  照度検知部
【図１】
2018014942.tif 000005
【図２】
2018014942.tif 000006
【図３】
2018014942.tif 000007
【図４】
2018014942.tif 000008